【手続補正書】
【提出日】平成23年2月17日(2011.2.17)
【手続補正１】
【補正対象書類名】特許請求の範囲
【補正対象項目名】全文
【補正方法】変更
【補正の内容】
【特許請求の範囲】
【請求項１】
前面側に遊技領域が形成された遊技盤を備え、当該遊技領域に遊技球を打込んで遊技が行なわれる遊技機であって、
前記遊技盤は、
透光性を有し、前記遊技領域が形成された板状部材と、
前記板状部材の後面側に設けられた表示装置と、
少なくとも前記遊技領域におけるいずれかの領域を光らせる態様で所定位置に設けられた発光体とを備え、
前記発光体を含む演出装置にシリアル信号方式の駆動信号を供給することにより当該演出装置の制御を行なう演出制御手段をさらに含み、
該演出制御手段は、前記発光体にシリアル信号方式の制御信号を供給することにより前記発光体を駆動制御する発光制御手段を含み、
前記遊技盤は、前記板状部材の後面側における前記表示装置が設けられた領域以外の領域を、遊技盤の前面側から透視不能な態様で隠蔽する隠蔽部材をさらに備えたことを特徴とする、遊技機。
【手続補正２】
【補正対象書類名】明細書
【補正対象項目名】０００８
【補正方法】変更
【補正の内容】
【０００８】
（２）  前記（１）の遊技機において、前記隠蔽部材は、可動部材（図８、トロッコ１５１）を含む。
このような構成によれば、隠蔽部材が可動部材を含むので、当該可動部材を用いて遊技の演出を行なうことが可能となるため、演出のバリエーションを増やすことができ、遊技の演出効果を向上させることができる。
【手続補正３】
【補正対象書類名】明細書
【補正対象項目名】０００９
【補正方法】変更
【補正の内容】
【０００９】
（３）  前記（１），（２）の遊技機において、前記板状部材は、開口領域（図８、取付開口領域６１、表示開口領域６２）が形成され、
前記遊技盤は、
前記開口領域として形成された取付開口領域（取付開口領域６１）に一部が挿入される態様で前記板状部材に前面側から取付けられ、遊技球が入賞可能な入賞装置（図１１、特別可変入賞球装置２０等）と、
少なくとも前記遊技領域の後面側において発光する態様で、前記板状部材の後面側に取付けられ、遊技盤を装飾する発光装飾ユニット（図１１、発光装飾ユニット７００）とを備え、
該発光装飾ユニットは、
前記発光体（図９、内部ランプとしてのＬＥＤ６１０ａ〜６１０ｆ）と、
該発光体を取付けるベース体（図９、メッキベース７１）とを備え、
該ベース体は、
前記発光体からの光を少なくとも前記遊技盤の前面側へ反射するための傾斜面（図１５、傾斜反射面７２０）が形成された反射部（図１５．反射部７２）と、
前記発光体を臨ませるための発光体開口部（図１５、発光体開口部７３）とを備え、
前記発光体は、前記発光体開口部に対して、後面側から臨む態様で前記ベース体に取付けられる（図１５）。
【手続補正４】
【補正対象書類名】明細書
【補正対象項目名】００１１
【補正方法】変更
【補正の内容】
【００１１】
（４）  前記（３）の遊技機において、前記板状部材は、前記表示装置の表示部（表示部９０）を臨ませるための表示開口領域（表示開口領域６２）がさらに形成され（図１１）、
前記発光装飾ユニットの前記ベース体は、前記表示開口領域に臨む態様で開口した表示開口部（表示開口部７５）がさらに形成され（図１１）、
前記表示装置は、前記表示部が前記表示開口部に臨む態様で、前記ベース体の後面側に取付けられ（図１２）、
前記発光装飾ユニットのベース体は、前記表示装置における前記表示部の周囲を被覆する表示装置被覆部（壁部７１１）が形成された（図１１）。
【手続補正５】
【補正対象書類名】明細書
【補正対象項目名】００１３
【補正方法】変更
【補正の内容】
【００１３】
（５）  前記（３），（４）の遊技機において、前記発光装飾ユニットは、前記ベース体の後面側に、前記入賞装置に入賞した遊技球を誘導する通路を形成した球通路部（球通路部８００）が設けられた（図１２）。
【手続補正６】
【補正対象書類名】明細書
【補正対象項目名】００１５
【補正方法】変更
【補正の内容】
【００１５】
（６）  前記（３）〜（５）の遊技機において、前記発光装飾ユニットの前記ベース体は、前記入賞装置の一部を被覆する入賞装置被覆部（壁部７１２）が形成された（図１１）。
【手続補正７】
【補正対象書類名】明細書
【補正対象項目名】００１７
【補正方法】変更
【補正の内容】
【００１７】
（７）  前記（３）〜（６）の遊技機において、前記発光装飾ユニットは、後面側に、所定の基板（主基板３１等）を取付ける基板取付部（基板取付部８０１）が設けられた（図１０）。
【手続補正８】
【補正対象書類名】明細書
【補正対象項目名】００１９
【補正方法】変更
【補正の内容】
【００１９】
（８）  前記（３）〜（７）の遊技機において、透明なガラス（図２、ガラス板２０１）が設けられたガラス領域部（図２、円形透視窓２００）を備え、遊技枠（図３、遊技枠１１）に対して開閉動作可能な部材であり、前記ガラス領域部により少なくとも前記遊技領域を視認可能とした態様で前記遊技盤の前面側に設けられた枠部材（図２、ガラス扉枠２）をさらに含み、
前記発光装飾ユニットは、前記ベース体において、前記枠部材の前記ガラス領域部（図３、ガラス板２０１）を介した視認が不可能な領域に、前記発光装飾ユニットを前記板状部材に取付けるための視認不可能取付部（視認不可能取付部７６）が設けられた（図１１）。
【手続補正９】
【補正対象書類名】明細書
【補正対象項目名】００２１
【補正方法】変更
【補正の内容】
【００２１】
（９）  前記（３）〜（８）の遊技機において、前記入賞装置は、前記取付開口領域の前縁部に当接するための当接部（当接部４０２）が形成され（図１１）、
前記発光装飾ユニットは、前記ベース体において、前記入賞装置の当接部により前記板状部材が覆われる領域に、前記発光装飾ユニットを前記板状部材に取付けるための当接部領域取付部（当接部領域取付部７７０）が設けられた（図１１）。
【手続補正１０】
【補正対象書類名】明細書
【補正対象項目名】００２３
【補正方法】変更
【補正の内容】
【００２３】
（１０）  前記（３）〜（９）の遊技機において、透明なガラス（図２、ガラス板２０１）が設けられたガラス領域部（図２、円形透視窓２００）を備え、遊技枠（図３、遊技枠１１）に対して開閉動作可能な部材であり、前記ガラス領域部により少なくとも前記遊技領域を視認可能とした態様で前記遊技盤の前面側に設けられた枠部材（図２、ガラス扉枠２）をさらに含み、
前記板状部材の前面から前記ガラス領域部までの距離（距離ｔ）よりも、前記板状部材の後面から前記発光装飾ユニットの後面までの距離（距離Ｔ）の方が長距離である（図１５）。
【手続補正１１】
【補正対象書類名】明細書
【補正対象項目名】００２５
【補正方法】変更
【補正の内容】
【００２５】
（１１）  前記（１）〜（１０）の遊技機において、透明なガラス（図２、ガラス板２０１）が設けられたガラス領域部（図２、円形透視窓２００）を備え、遊技枠（遊技枠１１）に対して開閉動作可能な部材であり、前記ガラス領域部により少なくとも前記遊技領域を視認可能とした態様で前記遊技盤の前面側に設けられた枠部材（図２、ガラス扉枠２）をさらに含み、
前記演出装置は、前記遊技盤と前記枠部材とに設けられ（図１３、図１４）、
前記演出装置のうち前記遊技盤に設けられた演出装置について、前記演出制御手段からの制御信号をシリアル信号方式からパラレル信号方式に変化して供給する盤側シリアル−パラレル信号変換回路（図１８、シリアル−パラレル変換ＩＣ６１６〜６１９）と、
前記演出装置のうち前記枠部材に設けられた演出装置について、前記演出制御手からの制御信号をシリアル信号方式からパラレル信号方式に変化して供給する枠側シリアル−パラレル信号変換回路（図１８、シリアル−パラレル変換ＩＣ６１１〜６１５）と、
前記演出制御手段と前記盤側シリアル−パラレル信号変換回路との接続を中継する第１の中継基板（図１８、中継基板６０６）と、
前記演出制御手段と前記枠側シリアル−パラレル信号変換回路との接続を中継する第２の中継基板（図１８、中継基板６０６，６０７）とをさらに備えた。
【手続補正１２】
【補正対象書類名】明細書
【補正対象項目名】００２７
【補正方法】変更
【補正の内容】
【００２７】
（１２）  前記（１１）の遊技機において、前記盤側シリアル−パラレル信号変換回路または枠側シリアル−パラレル信号変換回路を複数搭載した集合基板（盤側ＩＣ基板６０１、枠側ＩＣ基板６０２，６０５）をさらに備えた（図１８）。